(57)【要約】【課題】大きなスペースを要することなく、写真とデジタル画像の両方を見ることができる画像表示フレームを提供する。【解決手段】後方にある写真等を見ることができて、かつ、デジタル画像を表示することができる透明ディスプレイ２０と、裏蓋４１と、透明ディスプレイ２０と裏蓋４１との間にあって、写真等を挿入するための収納部を備え透明ディスプレイ２０と裏蓋４１を支持するフレーム４０と、フレーム４０を立たせるためのスタンド４２Ａと、デジタル画像の表示・非表示や選択操作等を行うための操作部３０と、外部画像取得部５０と、外部から得た画像を記憶するための内部メモリ６１と、その画像を表示・編集するための画像処理部６２と、電力を得るための電源７０などとを備えている。【選択図】図１
2006065031.tif 000002
【特許請求の範囲】
【請求項１】
透明状態とデジタル画像の表示状態を切り換え可能な透明ディスプレイと、
前記透明ディスプレイの後方に形成され、画像表示シートを収納可能なシート収納部を形成するフレーム部と、
前記透明ディスプレイのデジタル画像の表示・非表示の切り換え又は表示するデジタル画像の選択を含む操作を行う操作部と、
前記操作部の操作に基づいて、前記透明ディスプレイの表示状態を制御する表示制御部と、
を含む画像表示フレーム。
【請求項２】
請求項１に記載の画像表示フレームにおいて、
外部から画像を取得する外部画像取得部を備えること、
を特徴とする画像表示フレーム。
【請求項３】
請求項１又は請求項２に記載の画像表示フレームにおいて、
前記表示制御部は、
外部から取得した画像を記憶する内部メモリと、
前記内部メモリに記憶した画像を表示又は編集する画像処理部と、
を備えることを特徴とする画像表示フレーム。
【請求項４】
請求項１から請求項３までのいずれか１項に記載の画像表示フレームにおいて、
前記透明ディスプレイは、有機ＥＬ素子を用いた透明有機ＥＬディスプレイであること、
を特徴とする画像表示フレーム。
【請求項５】
請求項１から請求項４までのいずれか１項に記載の画像表示フレームにおいて、
前記透明ディスプレイ及びフレーム部を立たせるスタンド部を備えたこと、
を特徴とする画像表示フレーム。
【請求項６】
請求項５に記載の画像表示フレームにおいて、
前記スタンド部は、前記操作部を隠すような形状となっていること、
を特徴とする画像表示フレーム。
【請求項７】
請求項１から請求項６までのいずれか１項に記載の画像表示フレームにおいて、
前記操作部は、前記透明ディスプレイの表示面と異なる側に備えられていること、
を特徴とする画像表示フレーム。
【請求項８】
請求項１から請求項７までのいずれか１項に記載の画像表示フレームにおいて、
前記操作部と前記透明ディスプレイとを、回転自在に可動できるように接続するジョイント部を備えること、
を特徴とする画像表示フレーム。
【請求項９】
請求項８に記載の画像表示フレームにおいて、
前記操作部と前記透明ディスプレイとは、前記ジョイント部により一辺側が接続され、対向する他辺側が離間するように可動させて、自立すること、
を特徴とする画像表示フレーム。
【請求項１０】
請求項１から請求項９までのいずれか１項に記載の画像表示フレームにおいて、
前記操作部は、前記透明ディスプレイと着脱可能であり、遠隔換作が可能であること、
を特徴とする画像表示フレーム。
【請求項１１】
請求項１から請求項１０までのいずれか１項に記載の画像表示フレームにおいて、
前記透明ディスプレイは、その表示面が外側を向くように複数個配置され、
前記各透明ディスプレイを回転可能に支持するスタンド部を備えたこと、
を特徴とする画像表示フレーム。
【発明の詳細な説明】
【技術分野】
【０００１】
本発明は、写真などの画像を複数枚を見ることができるフォトフレーム等の画像表示フレームに関するものである。
【背景技術】
【０００２】
特許文献１は、支持用基礎構造体で支持される複数の平面構造体（表示体）の単位構造体を適宜位置に着脱自在にし、複数の写真などの表示体を一つの枠体に入れて保持することができる構造体を開示しているが、平面的に写真を配置するので、大型化するという問題があった。
【０００３】
一方、デジタルカメラの普及により、写真がデジタルデータとして保存されているが、パソコンのディスプレイで見るか、プリントアウトして従来のフォトフレームに飾っていることが多い。しかし、両親の古い銀塩写真と、子供のデジタル画像を一緒に飾っておきたいという要請があるが、これを同時に満足させるフォトフレームは存在しない。
【特許文献１】特開平０９−２０４１４６号公報
【発明の開示】
【発明が解決しようとする課題】
【０００４】
本発明の課題は、大きなスペースを要することなく、写真とデジタル画像の両方を見ることができる画像表示フレームを提供することである。
【課題を解決するための手段】
【０００５】
本発明は、以下のような解決手段により、前記課題を解決する。なお、理解を容易にするために、本発明の実施形態に対応する符号を付して説明するが、これに限定されるものではない。
請求項１の発明は、透明状態とデジタル画像の表示状態を切り換え可能な透明ディスプレイ（２０）と、前記透明ディスプレイの後方に形成され、画像表示シートを収納可能なシート収納部を形成するフレーム部（４０）と、前記透明ディスプレイのデジタル画像の表示・非表示の切り換え又は表示するデジタル画像の選択を含む操作を行う操作部（３０）と、前記操作部の操作に基づいて、前記透明ディスプレイの表示状態を制御する表示制御部（６０）と、を含む画像表示フレームである。
請求項２の発明は、請求項１に記載の画像表示フレームにおいて、外部から画像を取得する外部画像取得部（５０）を備えること、を特徴とする画像表示フレームである。
請求項３の発明は、請求項１又は請求項２に記載の画像表示フレームにおいて、前記表示制御部（６０）は、外部から取得した画像を記憶する内部メモリ（６１）と、前記内部メモリに記憶した画像を表示又は編集する画像処理部（６２）と、を備えることを特徴とする画像表示フレームである。
請求項４の発明は、請求項１から請求項３までのいずれか１項に記載の画像表示フレームにおいて、前記透明ディスプレイ（２０）は、有機ＥＬ素子を用いた透明有機ＥＬディスプレイであること、を特徴とする画像表示フレームである。
請求項５の発明は、請求項１から請求項５までのいずれか１項に記載の画像表示フレームにおいて、前記透明ディスプレイ及びフレーム部を立たせるスタンド部（４２）を備えたこと、を特徴とする画像表示フレームである。
請求項６の発明は、請求項５に記載の画像表示フレームにおいて、前記スタンド部（４２Ｂ）は、前記操作部を隠すような形状となっていること、を特徴とする画像表示フレームである。
請求項７の発明は、請求項１から請求項６までのいずれか１項に記載の画像表示フレームにおいて、前記操作部（３０Ｄ）は、前記透明ディスプレイの表示面と異なる側に備えられていること、を特徴とする画像表示フレームである。
請求項８の発明は、請求項１から請求項７までのいずれか１項に記載の画像表示フレームにおいて、前記操作部と前記透明ディスプレイとを、回転自在に可動できるように接続するジョイント部（４４）を備えること、を特徴とする画像表示フレームである。
請求項９の発明は、請求項８に記載の画像表示フレームにおいて、前記操作部と前記透明ディスプレイとは、前記ジョイント部により一辺側が接続され、対向する他辺側が離間するように可動させて、自立すること（図６（ａ））、を特徴とする画像表示フレームである。
請求項１０の発明は、請求項１から請求項９までのいずれか１項に記載の画像表示フレームにおいて、前記操作部（３０Ｆ）は、前記透明ディスプレイと着脱可能であり、遠隔換作が可能であること、を特徴とする画像表示フレームである。
請求項１１の発明は、請求項１から請求項１０までのいずれか１項に記載の画像表示フレームにおいて、前記透明ディスプレイ（２０Ｇ）は、その表示面が外側を向くように複数個配置され、前記各透明ディスプレイを回転可能に支持するスタンド部（４２Ｃ）を備えたこと、を特徴とする画像表示フレームである。
【発明の効果】
【０００６】
以上説明したように、本発明によれば、以下のような効果がある。
（１）透明ディスプレイを用いることで、デジタル画像を見ることができる上に、画像を表示させていないときには、透明ディスプレイの後方にある画像表示シート（例えば、写真）を見ることができるため、フォトフレームとしての機能を最大限に活用することができる。
（２）外部画像取得部から画像を取得することができるので、デジタル画像を容易に取り込むことができる。
（３）表示制御部は、外部から取得した画像を記憶する内部メモリと、その画像を表示又は編集する画像処理部とを備えるので、複数枚のデジタル画像を取り込んでおき、選択したり、編集して表示することができる。
（４）透明ディスプレイは、透明有機ＥＬディスプレイを用いているので、低電力で高輝度、高コントラスト、高視野角であるため表示画像が見やすく、自発光でバックライトを必要としないため薄型が可能となる。また、透明度が高く、透過率も高いため、内部に収納された写真を鮮明に見ることができる。
（５）透明ディスプレイ及びフレーム部を立たせるスタンド部を備えているので、卓上等に置きやすい。
（６）スタンド部は、操作部を隠すような形状となっているので、操作部の使いやすさはそのままで、かつ、操作部があることによって、フォトフレームとしてのデザインを損ねることがない。
（７）操作部は、透明ディスプレイの表示面と異なる側に備えられているので、外観上のデザインを損ねることがなく、縦置き、横置きどちらでも違和感がない。
（８）操作部と透明ディスプレイとを、ジョイント部で回転自在に可動できるように接続したので、非操作時には操作部が見えず、操作時には操作部を前面にすることが可能となる。
（９）操作部と透明ディスプレイとは、ジョイント部により一辺側が接続され、対向する他辺側が離間するように可動させて、自立することができるので、別に、スタンドを設ける必要がなくなる。
（１０）操作部は、透明ディスプレイと着脱可能であり、遠隔換作が可能であるので、操作部を操作リモコンとして使用することができ、また、使用していないときには、操作部が透明ディスプレイ内に隠れているため、外観を普通のフォトフレームのようなデザインとすることができる。
（１１）透明ディスプレイを表示面が外側を向くように複数個配置し、スタンド部で各透明ディスプレイを回転可能に支持するので、画像表示シートとデジタル画像とを、同時に複数並べて表示させることができる。
【発明を実施するための最良の形態】
【０００７】
本発明は、大きなスペースを要することなく、写真とデジタル画像の両方を見ることができるという目的を、透明ディスプレイを用いることで、デジタル画像を透明ディスプレイに表示して見ることができる上に、デジタル画像を表示させていないときには、透明ディスプレイの後方にある写真を見ることができることにより実現する。
【実施例１】
【０００８】
以下、図面等を参照して、本発明の実施例をあげて、さらに詳しく説明する。
図１は、本発明の実施例１によるフォトフレームを示す外観図、図２は、実施例１によるフォトフレームの制御系を示すブロック図である。
実施例１のフォトフレーム１０Ａは、透明ディスプレイ２０と、操作部３０と、フレーム部４０と、外部画像取得部５０と、コントローラ６０と、電源７０等とを備えている。
【０００９】
透明ディスプレイ２０は、透明状態とデジタル画像の表示状態を切り換え可能な表示装置であって、例えば、ＥＬ素子を用いたＥＬディスプレイ、液晶ディスプレイ等を用いることができ、本実施例では、透明有機ＥＬディスプレイを用いている。
この有機ＥＬディスプレイは、自発光であり、低電力で高輝度、高コントラスト、高視野角であるため表示画像が見やすく、液晶ディスプレイのようにバックライトを必要としないため薄型が可能となる。また、透明度が高く、透過率も高いため、デジタル画像表示を行わないときには、後方（シート収納部）に収納された写真を鮮明に見ることができる。
【００１０】
操作部３０は、透明ディスプレイ２０のデジタル画像の表示・非表示の切り換え、又は、表示するデジタル画像の選択を含む操作の指示を行う部分であり、電源ボタン３１と、画像表示・非表示の切り替えボタン３２と、左右上下に傾けることで、メニュー選択、画像の選択、ページ換えなどが可能な十字型の操作キー３３などを備えている。本実施例では、この操作部３０は、後述するフレーム部４０の前面に配置されているので、操作がしやすい。
【００１１】
フレーム部４０は、透明ディスプレイ２０の後方に形成された裏蓋４１と共に、写真２１などの画像表示シートを収納可能なシート収納部を形成する部分であり、図１（ｃ）に示すように、透明ディスプレイ２０と写真２１と裏蓋４１が重ねて配置される。
フレーム部４０は、裏蓋４１の裏面に開脚自在に設けられた、スタンド４２Ａによって、自立させることができる。
写真２１を挿入する方法は、写真２１をフレーム部４０の上下左右のいずれの方向からか差し込むようにしてもよく、また、裏蓋４１を開閉式又はスライド式として、透明ディスプレイ２０の後方に挿入させてもよい。
シート収納部は、透明ディスプレイ２０と裏蓋４１の間にある写真２１を挿入する空間であるが、写真２１の厚みよりも数倍広くすることで、写真２１の他に、絵はがきや、手紙、雑誌や新聞の切り抜き、その他紙状・板状のもので、この空間に入る物であれば、何を入れてもよい。
【００１２】
外部画像取得部５０は、外部から画像を取り込む部分であり、この実施例では、メモリカードスロットルを用いているが、それ以外にも、フロッピーディスク（登録商標）、コンパクトディスク、ＤＶＤ、ＵＳＢ、シリアルポート、インターネット、ＬＡＮ、電話回線、無線等、外部から画像を得ることのできる手段であれば何でもよい。
【００１３】
コントローラ６０は、図２に示すように、外部から取得した複数の画像を記憶する内部メモリ６１や、内部メモリ６１に記憶した画像を選択して表示したり、又は、トリミングなどの編集をする画像処理部６２などを含み、リジット基板やフレキシブル基板により、フレーム部４０の内部に実装される。
【００１４】
電源７０は、透明ディスプレイ２０の表示ドライバ２２の駆動系や、コントローラ６０の制御系に電力を供給する部分であり、ＡＣアダプタ、マンガン電池、アルカリ電池、充電式バッテリ、燃料電池等、何でもよい。
【００１５】
次に、実施例１のフォトフレーム１０Ａの使用方法を説明する。
電源ボタン３１がオフの場合、又は、電源ボタン３１がオンであるが、切り替えボタン３２が非表示に切り替えられているときには、図１（ａ）に示すように、透明ディスプレイ２０にデジタル画像が表示されず、透明ディスプレイ２０の後方にある写真画像２１Ａを見ることができる。
電源ボタン３１がオンの場合、切り替えボタン３２を表示状態に操作することにより、図１（ｂ）に示すように、透明ディスプレイ２０上に、デジタル画像２０Ａを表示させることができる。
【００１６】
このように、実施例１によれば、透明ディスプレイ２０を用いることで、デジタル画像を見ることができる上に、デジタル画像２０Ａを表示させていないときには、透明ディスプレイ２０の後方にある写真２１を見ることができるため、フォトフレームとしての機能を、最大限に活用することができる。
【実施例２】
【００１７】
図３は、本発明の実施例２によるフォトフレームを示す外観図である。
なお、以下に示す各実施例では、前述した実施例１と同様な機能を果たす部分には、同一の符号又は末尾に統一した符号を付して、重複する説明や図面を適宜省略する。
実施例２のフォトフレーム１０Ｂは、実施例１のスタンド４２Ａの代わりに、フォルダ型スタンド４２Ｂを用いている。
このフォルダ型スタンド４２Ｂは、底板部４２Ｂ−１と、底板部４２Ｂ−１の前側に上部後傾姿勢で設けられた前板部４２Ｂ−２と，底板部４２Ｂ−１の後ろ側に上部前傾姿勢で設けられたスタンド板４２Ｂ−３と、底板部４２Ｂ−１の内側でフレーム部４０の下面が挿入載置される溝部４２Ｂ−４等を備えている。
フォルダ型スタンド４２Ｂは、前板部４２Ｂ−２を高くすることによって、フレーム部４０の前面下部に備えられた操作部３０を隠すことができる。そのため、実施例２のフォトフレーム１０Ｂは、実施例１の操作部３０の使いやすさはそのままで、かつ、操作部３０があることによって、フォトフレームとしてのデザインを損ねることがない。
【実施例３】
【００１８】
図４は、本発明の実施例３によるフォトフレームを示す外観図である。
実施例３のフォトフレーム１０Ｃは、操作部３０が、フレーム４０前面の４隅に配置されていて、デザインも兼ねた操作ボタンとなっている。また、４隅に配置することにより、
フレーム４０の太さを均一にすることができる。
【実施例４】
【００１９】
図５は、本発明の実施例４によるフォトフレームを示す外観図である。
実施例４のフォトフレーム１０Ｄは、操作部３０を裏蓋４１背面に、メモリカードスロットル５０を裏蓋４１の側面（厚み部分）に備えた場合である。また、操作部３０は、電源ボタン３１、切り替えボタン３２と、操作キー３３などが裏蓋４１の裏面に配置されている。
操作部３０を裏蓋４１に設けると、裏蓋４１内部に画像処理部、内部メモリ、リジッド基板、フレキシブル基板等が収められるため、フレーム４０は細く、均一な太さにすることができる。そのため、フォトフレームとしてのデザインを損ねることがなく、縦置き、横置きどちらでも違和感がない。
【００２０】
また、裏蓋４１は、単純な長方形で、比較的容積が大きくなるので、画像処理部、内部メモリ、リジッド基板、フレキシブル基板等を裏蓋４１内部に収めやすく、フレーム４０内には、透明有機ＥＬディスプレイ２０に電圧を供給するためだけのフレキシブル基板を通すだけとなるので、設計しやすいという利点が生じる。
【実施例５】
【００２１】
図６は、本発明の実施例５によるフォトフレームを示す外観図である。
実施例４のフォトフレーム１０Ｅは、図６（ａ）のように、フレーム４０と蓋４１とは、短辺側がユニバーサルジョイント４４で回転自在に連結されている。
このフォトフレーム１０Ｅは、蓋４１には、図６（ｂ）のように、タッチパネル式の操作部３０Ｅが備えられていて、使用していないときには、操作部３０Ｅはフレーム４０の内側にある。また、使用するときには、図６（ｂ）のように、ユニバーサルジョイント４４により、裏蓋４１を開らいてさらに回転させて使用することができる。従って、図６（ｂ）の状態からさらに矢印Ａ方向に回転させれば、操作部３０Ｅを前面にすることが可能となる。このとき、写真２１が落ちてしまわないように、図６（ｃ）のように、仕切り板４３で写真２１を押さえている。
また、フォトフレーム１０Ｅは、ユニバーサルジョイント４４により、裏蓋４１をわずかに開くことで、図６（ａ）のように、スタンドを設けずに、自立させることができる。なお、図６（ａ）では、横置きで図示してあるが、縦置きにしても立たせることができる。
【実施例６】
【００２２】
図７は、本発明の実施例６によるフォトフレームを示す外観図である。
実施例６のフォトフレーム１０Ｆは、実施例５と同様に、裏蓋４１Ｆにはタッチパネル式の操作部３０Ｆが備えられていて、図７（ａ）のように、使用していないときには、操作部３０Ｆは、フレーム４０の内側にある。また、使用するときには、裏蓋４１Ｆを矢印Ｂの方向にスライドさせて取り外しすることができる。
このフォトフレーム１０Ｆは、裏蓋４１Ｆとフレーム４０には、無線通信装置５１を備えていて、取り外した裏蓋４１Ｆを操作リモコンとして使用することができる。通信手段としては、無線でなく有線でも良い。
【００２３】
実施例５、６では、使用していないときには、操作部３０Ｅ，３０Ｆがフレーム４０内に隠れているため、外観を普通のフォトフレームのようなデザインとすることができる。
【実施例７】
【００２４】
図８は、本発明の実施例７によるフォトフレームを示す外観図である。
実施例７のフォトフレーム１０Ｇは、透明ディスプレイ２０Ｇの表示面が外側を向くように、複数個配置され、回転可能な回転スタンド４２Ｃに取り付けられている。
このフォトフレーム１０Ｇは、透明ディスプレイ２０Ｇを回転させると、フレーム４０全体が回転軸Ｃを中心に矢印Ｄ方向に回転する。写真２１Ａは、フレーム４０上面に空いた挿入口４５より、透明ディスプレイ２０後方に出し入れすることができる。
【００２５】
実施例５によれば、写真とデジタル画像とを、同時に複数並べて表示させることができる。例えば、子供の成長過程の写真やデジタル画像を順番に並べて飾りたいときに、その順番が写真、デジタル画像、写真の順であったとしても、それらを一つのフォトフレームに同時に並べて飾ることができる。また、一連の動きにある複数枚の写真とデジタル画像を同時に飾ることもできる。
【００２６】
（変形例）
以上説明した実施例に限定されることなく、種々の変形や変更が可能であって、それらも本発明の均等の範囲内である。
（１）実施例１〜３では、操作部３０は、フレーム４０前面に備えられ、メモリカードスロットル（外部画像取得部）５０は、フレーム４０側面に備えられているが、これらは、フレーム４０の前後、左右、上下面のどの場所に備えてもよい。
【００２７】
（２）画像処理部、内部メモリ、リジッド基板、フレキシブル基板、リード線等は、基本的には、フレーム４０内部に収められるが、裏蓋４１内部に収めてもよい。ただし、裏蓋４１がスライド式の場合には、フレキシブル基板やリード線が使用できないため、フレームとカバーとに通信接点等の通信手段を用いる必要がある。
【図面の簡単な説明】
【００２８】
【図１】本発明の実施例１によるフォトフレームを示す外観図である。
【図２】実施例１によるフォトフレームの制御系を示すブロック図である。
【図３】本発明の実施例２によるフォトフレームを示す外観図である。
【図４】本発明の実施例３によるフォトフレームを示す外観図である。
【図５】本発明の実施例４によるフォトフレームを示す外観図である。
【図６】本発明の実施例５によるフォトフレームを示す外観図である。
【図７】本発明の実施例６によるフォトフレームを示す外観図である。
【図８】本発明の実施例７によるフォトフレームを示す外観図である。
【符号の説明】
【００２９】
２０  透明ディスプレイ
２０Ａ  デジタル画像
２１  写真
２１Ａ  写真画像
３０  操作部
３１  電源ＯＮ／ＯＦＦボタン
３２  切り替えボタン
３３  操作キー
４０  フレーム
４１  裏蓋
４２Ａ  スタンド
４２Ｂ  フォルダ型スタンド
４２Ｃ  回転スタンド
４３  仕切り板
４４  ユニバーサルジョイント
４５  挿入口
５０  メモリカードスロットル
５１  無線通信装置
【図１】
2006065031.tif 000003
【図２】
2006065031.tif 000004
【図３】
2006065031.tif 000005
【図４】
2006065031.tif 000006
【図５】
2006065031.tif 000007
【図６】
2006065031.tif 000008
【図７】
2006065031.tif 000009
【図８】
2006065031.tif 000010